(57)【要約】  内部空間を有する容器を画成する複数のパネルを含む医用装置の構成要素のためのパッケージ。医用装置の第１の構成要素は、内部空間内に配置される。医用装置の第１の構成要素は、薬剤送達デバイスを含む。前記複数のパネルのうちの少なくとも１つは、蓋パネルを構成する。蓋パネルは、内部空間を少なくとも部分的に取り囲む閉位置で、蓋パネルの縁に接着される医用装置のさらなる構成要素によって固定される。さらに、容器の内部空間内に薬剤容器を含むそのようなパッケージを含む医用装置が開示される。
2017536931.tif 000002
【特許請求の範囲】
【請求項１】
医用装置の構成要素のためのパッケージ（１０）であって：
内部空間を有する容器（１１）を画成する複数のパネル（１２〜２０）と；
内部空間内に配置され、薬剤送達デバイス（２５）を含む、該医用装置の第１の構成要素と；
を含み、
前記複数のパネルのうちの少なくとも１つは、蓋パネル（１４、１５、１６）を構成し；
ここで、蓋パネル（１４、１５、１６）は、内部空間を少なくとも部分的に取り囲む閉位置で、蓋パネル（１４、１５、１６）の縁に接着される該医用装置のさらなる構成要素（３５、３６）によって固定される、
前記パッケージ。
【請求項２】
蓋パネルは、一対の蓋パネル（１４、１５）のうちの１つを含み、一対の蓋パネルは、閉位置で、一対の蓋パネル（１４、１５）に接着される医用装置のさらなる構成要素（３５）によって固定される、請求項１に記載のパッケージ（１０）。
【請求項３】
蓋パネルは、第１の蓋パネル（１６）を含み、医用装置のさらなる構成要素は、第２の構成要素（３６）を含み、パッケージ（１０）は、第１の蓋パネル（１６）の上に重なる第２の蓋パネル（１４、１５）をさらに含み、該第２の蓋パネル（１４、１５）は、第１の蓋パネル（１６）の上に重なる位置で、第２の蓋パネル（１４、１５）の縁に接着される医用装置の第３の構成要素（３５）によって固定される、請求項１に記載のパッケージ（１０）。
【請求項４】
第１および第２の蓋パネル（１６、１４、１５）の上に重なる第４の蓋パネル（１３）をさらに含む、請求項３に記載のパッケージ（１０）。
【請求項５】
医用装置のさらなる、第２および第３の構成要素（３５、３６）のうちの少なくとも１つは、殺菌剤を収容するパケットを含む、請求項１〜４のいずれか１項に記載のパッケージ（１０）。
【請求項６】
容器（１１）は、該容器（１１）の底壁を形成するベースパネル（１２）と、該ベースパネル（１２）から延びる側方壁パネル（１７、１８、１９、２０）と、複数の蓋パネル（１３、１４、１５、１６）とを含み、該蓋パネル（１３、１４、１５、１６）のうちの少なくとも１つは、容器（１１）が開構成へと操作されるときにベースパネル（１２）と同一平面に延びる位置へと折り曲げ可能である、請求項１〜５のいずれか１項に記載のパッケージ（１０）。
【請求項７】
ベースパネル（１２）と同一平面に延びる位置へと折り曲げ可能な前記少なくとも１つの蓋パネル（１６）は、容器（１１）が開構成にあるときに使用者が医用装置の構成要素を置くことができる準備面を形成する滅菌面を含む、請求項６に記載のパッケージ（１０）。
【請求項８】
容器（１１）のパネル（１２〜２０）は、少なくとも１つの折り曲げられる平坦な材料ブランクから形成される、請求項１〜７のいずれか１項に記載のパッケージ（１０）。
【請求項９】
容器（１１）のパネル（１２〜２０）は、単一の平坦な材料ブランクから形成される、請求項８に記載のパッケージ（１０）。
【請求項１０】
容器（１１）は、該容器（１１）のすべてのパネル（１２〜２０）が互いに同一平面にある開構成へと構成可能である、請求項１〜９のいずれか１項に記載のパッケージ（１０）。
【請求項１１】
容器（１１）の少なくとも１つのパネル（１３）には、薬剤送達デバイス（２５）の使用のための指示が印刷される、請求項１〜１０のいずれか１項に記載のパッケージ（１０）。
【請求項１２】
容器（１１）の閉構成において互いに重なり合う複数の蓋パネル（１３、１４、１５、１６）を含み、使用についての指示を含む前記パネル（１３）は、最も外側の蓋パネルを構成する、請求項１１に記載のパッケージ（１０）。
【請求項１３】
薬剤送達デバイス（２５）は、ボーラス注射デバイスを含む、請求項１〜１２のいずれか１項に記載のパッケージ（１０）。
【請求項１４】
容器（１１）の内部空間内に薬剤容器（２６）をさらに含む請求項１〜１３のいずれか１項に記載のパッケージ（１０）を含む医用装置。
【発明の詳細な説明】
【技術分野】
【０００１】
本発明は、パッケージに関し、詳細には、医用装置および／またはその部材のためのパッケージに関する。
【背景技術】
【０００２】
様々な疾病で、薬剤の注射による定期的な処置が必要とされている。当業界で既知の注射デバイスは、薬剤の注射を送達するための注入およびパッチポンプを含む。注目を集めている他のタイプの注射デバイスは、ボーラス注射器である。より高粘度の注射可能液を含み従来の液体薬剤よりも大量に投与される生物学的薬剤が次第に開発されてきている。ボーラス注射器のなかには、比較的大量の薬剤、典型的には少なくとも１ｍｌ、場合によっては数ｍｌの薬剤での使用を対象とするものがある。そのような大量の薬剤の注射は、数分または数時間要することがある。そのような大容量ボーラス注射器は、大容量デバイス（ＬＶＤ）と呼ばれることがあり、充填済みの使い捨て薬剤送達デバイス、または、別法として、患者もしくは医療関係者が使用前に薬剤カートリッジを挿入しなければならない使い捨て薬剤送達デバイスを含むことができる。ＬＶＤのような注射デバイスを使用するには、まず、それを患者の適切な注射部位において支持し、設置後、患者または他の者（使用者）が注射を開始する。
【０００３】
特に、使用前に薬剤カートリッジの挿入が必要な患者操作デバイスの場合、開始から終了までの薬剤送達プロセスは、複雑な多数の工程からなるプロセスになることがある。工程は、薬剤を注射する実際のプロセスの開始が可能になる前に、薬剤投与のためにデバイスを準備するために、デバイス構成要素をすべて集め、準備領域を殺菌し、それぞれのパッケージから各構成要素を取り出し、構成要素を組み立てることを含むことがある。いくつかの薬剤送達デバイスは、投与予定の薬剤が予め装填されて提供されるのに対して、他の送達デバイスは、別個になった薬剤カートリッジを受けるチャンバを含み、患者はデバイスの使用準備を整えるために送達デバイスのチャンバに薬剤カートリッジを装填しなければならない。したがって、そのようなプロセスは、覚えたうえで実行するには患者にとって複雑であり、彼または彼女の日課の邪魔になり、また特に患者がプロセスに詳しくない場合、薬剤投与プロセスを正しく実行することができない可能性があるという危険性がある。
【０００４】
医用デバイスは、特別な医学的および／または技術的なスキルのない者、たとえば患者自身などによってよく使用される。したがって、医用デバイスのような、複雑なデバイスのためのパッケージは、しばしば、デバイスの使用に必要な工程が患者によって正確に実施されることを確実にするために、最初に使用するときの指示が書かれたマニュアルを含む。しかし、そうしたマニュアルがパッケージ内にあっても、患者がそれを無視することがある。特に、使用者への調査では、使用者の最初の動作として、しばしば、マニュアルを取り出しそれを外に置き、それによってマニュアルが見えなくなって使用者はそれを忘れてしまうことが分かった。
【０００５】
さらに、調査から、患者は、たとえば電子医用デバイスである医用デバイスと最初に関わるとき、他の電子デバイスの知識を参考にすることが分かった。しかし、実際のデバイスとメンタルモデルの操作に違いがある場合、結果的にデバイスの使用方法を誤ることがある。さらに、どの構成要素を最初に使用しなければならないかが明確でないと、患者は、デバイスを動作させるために使用または組み立てなければならない大量の構成要素を収容するパッケージによって混乱することがあることが分かった。
【発明の概要】
【発明が解決しようとする課題】
【０００６】
したがって、使用が簡単であり患者の日課のそれほど邪魔にならない薬剤送達装置および投与プロセスを患者に提供する必要がある。
【課題を解決するための手段】
【０００７】
本発明は、医用装置の構成要素のためのパッケージであって、内部空間を有する容器を画成する複数のパネルと、内部空間内に配置され、薬剤送達デバイスを含む医用装置の第１の構成要素とを含み、前記複数のパネルのうちの少なくとも１つは、蓋パネルを構成し、ここで、蓋パネルは、内部空間を少なくとも部分的に取り囲む閉位置で、蓋パネルの縁に接着される医用装置のさらなる構成要素によって固定される、医用装置の構成要素のためのパッケージを含む、医用装置の構成要素のためのパッケージを提供する。
【０００８】
蓋パネルは、一対の蓋パネルのうちの１つを含むことができ、一対の蓋パネルは、閉位置で、一対の蓋パネルに接着される医用装置のさらなる構成要素によって固定される。
【０００９】
蓋パネルは、第１の蓋パネルを含むことができ、医用装置のさらなる構成要素は、第２の構成要素を含むことができ、パッケージは、第１の蓋パネルの上に重なる第２の蓋パネルをさらに含むことができ、第２の蓋パネルは、第１の蓋パネルの上に重なる位置で、第２の蓋パネルの縁に接着される医用装置の第３の構成要素によって固定される。これは、有利には、パッケージおよび医用装置の使用中に、患者または使用者に構成要素の使用をさらに思い起こさせることができる。
【００１０】
パッケージは、第１および第２の蓋パネルの上に重なる第４の蓋パネルをさらに含むことができる。これは有利には、パッケージに追加の構造をもたらすことができる。さらに、この構造は、情報のためまたは他の装置構成要素の提供のためのさらなる表面領域をもたらすことができる。
【００１１】
医用装置のさらなる、第２および第３の構成要素のうちの１つは、殺菌剤を収容するパケットを含むことができる。これは、有利には、医用装置を使用する前に患者または使用者が殺菌材料を扱うことを確実にする助けとなり得る。
【００１２】
容器は、容器の底壁を形成するベースパネルと、ベースパネルから延びる側方壁パネルと、複数の蓋パネルとを含むことができ、蓋パネルのうちの少なくとも１つは、容器が開構成へと操作されるときにベースパネルと同一平面に延びる位置へと折り曲げ可能であってよい。これは、有利には、装置の構成要素のための支持面をもたらすことができ、したがって、机の上または台所のカウンターの上など、下になる面を殺菌する、衛生的にする、消毒するまたは別のやり方で清浄化する必要が回避される。
【００１３】
ベースパネルと同一平面に延びる位置へと折り曲げ可能な前記少なくとも１つの蓋パネルは、容器が開構成にあるときに使用者が医用装置の構成要素を置くことができる準備面を形成する滅菌面を含むことができる。これは、有利には、医用装置の構成要素の配置のための滅菌領域を確実にもたらす助けとなり得る。
【００１４】
容器のパネルは、少なくとも１つの折り曲げられる平坦な材料ブランクから形成される。容器のパネルは、単一の平坦な材料ブランクから形成される。これは、容器の製造を容易にするおよび／または単純にする助けとなり得る。
【００１５】
容器は、容器のすべてパネルが互いに同一平面にある開構成へと構成可能であってよい。これは、有利には、患者または他の使用者に体裁のよいパッケージおよび容器の開構成をもたらす助けとなり、また、良好な有用性のパッケージを提供することができる。
【００１６】
容器の少なくとも１つのパネルには、薬剤送達デバイスの使用のための指示を印刷することができる。これは、医用装置の構成要素の数を減少させる助けとなり、それによって、患者または使用者に提供され取り扱われる別個の取扱説明書がなくなる。
【００１７】
容器は、容器の閉構成において上に重なり合う複数の蓋パネルを含むことができ、使用についての指示を含む前記パネルは、最も外側の蓋パネルを構成することができる。それによって患者または使用者がパッケージを最初に開けたときにその指示を見ることが確実になるので、有利である。したがって、これは、パッケージおよび医用装置の使用におけるエラーを減少させる助けとなり得る。
【００１８】
薬剤送達デバイスは、ボーラス注射デバイスを含むことができる。
【００１９】
本発明は、さらに、容器の内部空間内に薬剤容器をさらに含む上述したようなパッケージを含む医用装置を提供する。
【００２０】
次に、添付の図面を参照して、ほんの一例として、本発明の実施形態を説明する。
【図面の簡単な説明】
【００２１】
【図１】閉構成にある、本発明の第１の実施形態のパッケージの斜視図である。
【図２】パッケージが部分的に開けられている、第１の中間構成にある、図１のパッケージの斜視図である。
【図３】パッケージが部分的に開けられている、第２の中間構成にある、図１および図２のパッケージの斜視図である。
【図４】開構成にある、図１〜図３のパッケージの図である。
【発明を実施するための形態】
【００２２】
図１〜図４は、容器１１と、容器１１内に保持されるボーラス注射装置の様々な構成要素と関連の材料とを含む、本発明の第１の実施形態による薬剤パッケージ１０を示す。容器１１は、厚紙または他の適切なシート材料の折り曲げられたブランクで形成される。容器１１を形成するブランクは、様々な一体形成の矩形パネルを構成し、ベースパネル１２と、外側蓋パネル１３と、第１および第２の側方蓋パネル１４、１５と、内側蓋パネル１６とを含む。蓋パネル１３、１４、１５、１６は、組み立て後の容器１１の壁パネルを構成するそれぞれの中間パネル（１７、１８、１９、２０）を介してベースパネル１２の縁に連結される。外側蓋パネル１３は、第１の壁パネル１７を介してベースパネル１２の１つの縁に接合される。第１および第２の側方蓋パネル１４、１５は、それぞれ第２および第３の壁パネル１８、１９によって、外側壁パネル１７に隣り合うように、ベースパネル１２の対向する縁に接合される。内側蓋パネル１６は、第４の壁パネル２０によって、第１の壁パネル１７の反対のベースパネル１２の縁に接合される。
【００２３】
第１の壁パネル１７から離れた外側蓋パネル１３の縁は、クロージャタブ２１を含む。内側蓋パネル１６は、内側蓋パネル１６と第４の壁パネル２０との間の折り目の近くに、タブスロット２２を含む。
【００２４】
内側蓋パネル１６は、第４の壁パネル２０から離れたところに、第１のフラップ２３と、第１のフラップに隣り合う第２のフラップ２４とを含む。
【００２５】
折り目は、隣り合った包装パネルの間の接合部にわたって延び、図３および図４では破線で示されている。
【００２６】
ボーラス注射装置の様々な構成要素およびデバイスの使用に必要な関連の材料は、容器１１に収容され、ボーラス注射デバイス２５（以降、「デバイス２５」と称される）と、デバイス２５に挿入予定の薬剤カートリッジ２６とを含む。殺菌スワブ２７およびガーゼパッド２８は、第２の側方蓋パネル１５上に設けられる。殺菌スワブ２７は、患者の皮膚の所期の注射部位を消毒するのに使用することができる。ガーゼパッド２８は、注射部位における殺菌スワブ２７からの残余殺菌剤を乾かすのに使用することができる。第１の側方蓋パネル１４は、デバイス２５の適切な使用を患者に案内する指示シート３０を収容するポケット２９を備える。場合により、第１の側方蓋パネル１４は、さらに、デバイス２５のより詳細な指示および仕様ならびに薬剤カートリッジ２６内の薬剤についての医学／薬学情報を提供する詳細な取扱説明書３２を収容する第２のポケット３１を含むこともできる。
【００２７】
内側蓋パネル１６の表面は、パッケージ１０の使用のときに、患者または他の使用者がデバイス２５および薬剤カートリッジ２６を含むボーラス注射装置の構成要素を置くことができる準備面としての役割を果たすことができる。内側蓋パネル１６の準備面は、準備面としての内側蓋パネル１６の表面を表すマーキング、印または他の絵３３を含むことができる。内側蓋パネル１６の面は、滅菌面であり、および／または表面の滅菌状態を維持するように、殺菌、殺菌するまたは消毒するコーティングまたは他の処理が設けられる。殺菌コーティングは、準備面に塗布されるキャリア材料に殺菌剤を含むことができる。殺菌剤は、準備面に印刷されるインキを含むことができ、準備面であることを表すマーキング３３が殺菌インキ（ｓｔｅｒｉｌｉｚｉｎｇ  ｉｎｋ）などを含むこともできる。別法として、またはそれに加えて、準備面は、容器ブランクおよび／またはパッケージ１０の製造の間に殺菌剤により予め処理することができる。
【００２８】
外側蓋パネル１３の表面は、パッケージ１０の使用またはデバイス２５の操作のための順次的な指示、または患者もしくは他の使用者についての他の関連情報を示す詳細な指示（ｈｉｇｈｔ−ｌｅｖｅｌ  ｉｎｓｔｒｕｃｔｉｏｎ）３４を含むことができる。
【００２９】
図４から、デバイス２５および薬剤カートリッジ２６は、容器のベースパネル１２上に設けられ、ベースパネル１２に接着される密閉封止ブリスタパック（図示せず）内に設けられる、またはベースパネル１２の所定位置に別のやり方で固定される。さらに、デバイス２５および薬剤カートリッジ２６は、ベースパネル１２に固定的に固定されず、その代わりに、容器を図１に示される閉構成に折り曲げるときに、単にベースパネル１２上にそれらを置いて容器１１内に閉じ込めてもよい。
【００３０】
図１に示されるパッケージ１０の閉構成では、デバイス２５および薬剤カートリッジ２６は、ベースパネル１２上に配置され、第４の壁パネル２０は、ベースパネル１２から垂直方向に延びる。内側蓋パネル１６は、それがデバイス２５および薬剤カートリッジ２６を覆うように第４の壁パネル２０から垂直方向に延びる、閉位置にある。したがって、内側蓋パネル１６は、容器１１の内部空間の上側壁を形成し、したがって内部空間を少なくとも部分的に取り囲む。内側蓋パネル１６の第１のフラップ２３は、ベースパネル１２の方へと延び、内側蓋パネル１６の第２のフラップ２４は、ベースパネル１２と同一平面にある。この構成は、図３に示される第２の中間構成において見ることができる。
【００３１】
第２および第３の壁パネル１８、１９は、ベースパネル１２から垂直方向に延び、第１および第２の側方蓋パネル１４、１５は、それらが第２および第３の壁パネル１８、１９に対して垂直方向に内側蓋パネル１６の上に延びる、閉位置に折り曲げられる。したがって、第１および第２の側方蓋パネル１４、１５は、容器１１の内部空間の上側壁を形成し、したがって、内部空間を少なくとも部分的に取り囲む。この構成は、図２に示される第１の中間構成において見ることができる。
【００３２】
第１の壁パネル１７は、ベースパネル１２に対して垂直方向に延び、外側蓋パネル１３は、それが第１の壁パネル１７に対して垂直方向に第１および第２の側方蓋パネル１４、１５の上に延びる、閉位置に折り曲げられる。クロージャタブ２１は、タブスロット２２に受け入れられ、パッケージ１０を閉じた状態で保持する。したがって、外側蓋パネル１３は、容器１１の内部空間の上側壁を形成し、したがって、内部空間を少なくとも部分的に取り囲む。
【００３３】
図２を参照すると、パケット３５は、第１および第２の側方蓋パネル１４、１５に接着されそれらを共に保持し、パッケージ１０の内部へのアクセスを防ぐ。パケット３５は、患者がデバイス２５を取り扱う前に彼らの手を殺菌することを可能にするように、棒状石鹸、または他の消毒または殺菌剤（図示せず）を収容する。パケット３５は、取り外すことができ、それによって第１および第２の側蓋パネルを内側蓋パネル１６から離れるように折り曲げることが可能になる。
【００３４】
第２のフラップ２４は、第２のフラップ２４の縁およびベースパネル１２に接着されるサシェ３６によって、ベースパネル１２に固定される。サシェ３６は、その後の薬剤投与プロセスにおいて注射部位としての役割を果たす患者の皮膚の領域を患者が清浄化し殺菌することを可能にするように殺菌スワブ（図示せず）を収容する。サシェ３６は、取り外すことができ、それによって第２のフラップ２４、したがって内側蓋パネル１６全体をベースパネル１２から離れるように折り曲げることが可能になる。サシェ３６は、第２の側方蓋パネル１５の内部にある殺菌スワブ２７の追加、またはその代わりであってよい。
【００３５】
次に、本発明の例示的な実施形態のパッケージ１０の使用について説明する。使用は、患者がデバイス２５を用いて薬剤を自己投与するためにパッケージを使用する観点から述べられるが、本発明のパッケージ１０の使用は、患者による使用に限定されず、患者ではなくたとえば医療従事者である第３者による使用を含むことを理解されたい。
【００３６】
患者は、閉構成にあるパッケージ１０を手に取り、クロージャタブ２１をタブスロット２２から持ち上げ、外側蓋パネル１３を第１および第２の側方蓋パネル１４、１５から離れるように折り曲げる。すると、パッケージ１０は、図２に示されるような第１の中間構成になる。そして、患者に対して、石鹸を収容するパケット３５が現れる。パケット３５が取り外されるまで、パッケージをさらに開け続けることはできない。これは、患者にパケット３５を手に取らせ、石鹸に気付かせ、プロセスの次の工程に進む前に手を洗うことが必要であることを患者に思い起こさせる役割を果たす。
【００３７】
この段階で、患者には、外側蓋パネル１３の内面にある詳細な指示３４が示され、したがって、プロセスの早い段階からこの先の明確な操作指示が得られる。本発明の例示的な一実施形態では、詳細な指示３４は、「１．手を洗う。」、「２．注射器を準備する。」、「３．注射する。」、「４．注射器を処分する。」ことを示すことができる。本発明のさらなる例示的な一代替実施形態では、詳細な指示３４は、「１．手を洗う。」、「２．注射部位を殺菌する。」、「３．注射器を準備する。」、「４．注射する。」、「５．注射器を処分する。」ことを示すことができる。
【００３８】
パケット３５を取り外した後、患者は、第１および第２の側方蓋パネル１４、１５を内側蓋パネル１６から離れるように折り曲げ、閉位置から開位置にすることができる。すると、パッケージ１０は、図３に示される第２の中間構成になる。ここでは、容器１１の内部空間は、閉位置の状態にある内側蓋パネル１６によってのみ取り囲まれている状態にある。次いで、患者には、必要に応じて、デバイス２５の正しい使用についての情報を提供する指示シート３０および詳細な取扱説明書３２が示される。さらに、使用者には、殺菌スワブを収容するサシェ３６が示され、それを取り外すまでパッケージをさらに開け続けることはできない。これは、患者にサシェ３６を手に取らせ、殺菌スワブに気付かせ、プロセスの次の工程に進む前、またはデバイス３５へのアクセスが可能になる前に、彼らの皮膚の所期の注射部位を殺菌することが必要であることを患者に思い起こさせる役割を果たす。
【００３９】
サシェ３６を取り外し、注射部位を殺菌してから、患者は、ベースパネル１２から離れるように内側蓋パネル１６をひろげることができる。内側蓋パネル１６は、その閉位置から開位置にひろげられる。内側蓋パネル１６は、ベースパネル１２に平らに平行かつ同一平面になるように折り曲げることができる。すると、パッケージ１０は、図４に示される開構成になる。それによって、装置の準備面を表す絵３３は上方に向いた状態になる。準備面を表す絵３３は、患者に対する視覚インジケータとして、内側蓋パネル１６の面上に露出する。そして、患者は、他の面との接触により汚染されることもなく、デバイス２５または薬剤カートリッジ２６を置くのに内側蓋パネル１６の準備面を使用することができる。
【００４０】
次いで、患者には、デバイス２５および薬剤カートリッジ２６が示される。そして、患者は、薬剤カートリッジ２６をデバイスに装填し、製造業者の指示通りにデバイス２５を使用して薬剤投与プロセスを実行することができる。デバイス２５の使用後、デバイス２５および薬剤カートリッジ２６は処分してよい。あるいは、再利用可能デバイスの場合、薬剤カートリッジ２６を取り外して処分し、デバイス２５は、その後の使用のために保持することもできる。
【００４１】
第２の側方蓋パネル１５は、さらに、薬剤送達プロセス中またはその後に場合により必要となることがある材料を含むことができる。これは、絆創膏（ｐｌａｓｔｅｒ）３７および／または追加のガーゼパッド３８を含むことができる。
【００４２】
平らにひらかれた内側蓋パネル１６によって形成されるデバイス準備面を含むパッケージ１０は、有利には、使用中に置かれるパッケージ１０の下になる面を患者または他の使用者が清浄化および／または消毒する必要性を回避することができる。たとえば、パッケージ１０の使用を開始する前にテーブル表面の領域を殺菌する必要がなくなる。これは、薬剤装置の構成要素の汚染の危険を最小限にする助けとなり得る。これは、さらに、パッケージ１０の使用および薬剤投与プロセス全体を、患者にとってより単純にし、煩わしいことを行わずに済むことができるようにする。さらに、滅菌準備面は、患者による追加の表面殺菌工程の必要性を回避する。さらに、滅菌準備面は、薬剤投与プロセスの間における準備面の汚染をなくす、またはそこに置かれるあらゆる医用装置構成要素の汚染をなくすことを確実にする助けとなり得る。
【００４３】
内側蓋パネル１６の準備面は、容器１１が閉構成にあるとき、容器１１の内面を形成する。すなわち、準備面は、容器１１が閉構成にあるとき、内側に向いている。これは、有利には、準備面が環境要素に曝されることを回避し、したがって、パッケージ１０の使用前に準備面が汚染されることを回避する助けとなり得る。その上、準備面は、容器１１の最も内側の蓋パネルに形成される。すなわち、容器１１の閉構成において、内側蓋パネル１６は、最も内側にあり、外側蓋パネル１３は、最も外側にあり、第１および第２の側方蓋パネル１４、１５は、外側蓋パネル１３と内側蓋パネル１６との間に配置される。したがって、内側蓋パネル１６およびその関連の準備面の上には、容器１１の少なくとも１つのさらなるパネルがあり、それによって、その周囲状態に直接曝されることが防止される。それによって、さらに有利には、パッケージ１０の輸送および収納の間、したがって使用する前に、内側蓋パネル１６およびその準備面は環境要素から守られる。これは、準備面を滅菌状態にしておくことについての上述した利点をもたらすことができる。
【００４４】
薬剤送達プロセスを完了するのに患者に必要なすべての必要材料を含む本発明のパッケージ１０は、プロセスを実行しやすくし、薬剤投与プロセスを開始する前に患者が様々な供給源から材料を集める必要性を回避する助けとなる。これは、投与処置における患者エラーを回避する助けとなり、さらに、患者を安心させ、彼らがよりリラックスする助けとなり、プロセスが彼または彼女のライフスタイルをあまり邪魔しないようにする。
【００４５】
パッケージ１０は、デバイス２５と、別個の薬剤カートリッジ２６とを含むとして述べられているが、本発明は、この構成に限定されず、別法として、本発明のパッケージは、薬剤装填済みデバイス２５を含むこともできる。そのようなデバイスは、装填済みカートリッジ２６またはデバイス２５と一体形成されたリザーバを含むことができる。さらに、本発明は、デバイス２５が薬剤カートリッジ２６を受け入れるパッケージ１０に対する限定を意図するものではない。デバイス２５は、本発明の範囲内にある薬剤容器またはリザーバのあらゆる形態を受けることができ、そのような容器またはリザーバから患者に薬剤を投薬するように構成される。
【００４６】
例示的な実施形態のパッケージ１０は、パケット３５およびサシェ３６がパッケージ１０からそれぞれ取り外されるまで患者がパッケージ１０をさらに開けることができないように、所定位置に接着されるパケット３５およびサシェ３６を有するとして述べられている。しかし、それぞれは、患者にプロセスを思い起こさせる役割を果たすが、本発明は、パッケージ１０の所定位置に接着されるこれらの構成要素のどちらかに対する限定を意図するものではない。別法として、パッケージは、閉位置にある内側蓋パネル１６ならびに第１および第２の側方蓋パネル１４、１５の一方または両方を保持するように所定位置に接着される医用装置の代替構成要素を含むこともできる。パケット３５およびサシェ３６の一方または両方は、パッケージ１０を完全に開けるのに必ずしも除去する必要のない、パッケージ内の他の場所にも設けてもよい。
【００４７】
図示され上記で述べられる薬剤パッケージ１０の特定の構成は、一例に過ぎず、本発明の薬剤パッケージの発明の概念を例示する役割しか果たさない。パッケージおよび容器の代替構成は、本発明の範囲に包含されるものとすることを理解されたい。たとえば、容器の１つまたはそれ以上のパネルは、矩形、方形またはあらゆる他の適切な形状であってよい。また、本発明の範囲内で他のタイプの薬剤送達デバイスおよび薬剤容器をパッケージ１０とともに使用することができることが明らかであろう。パッケージ１０は、液体および気体の両方の薬剤および関連のデバイスとともに使用することができる。たとえば、薬剤は、気体吸入薬剤を含むことができる。そのような薬剤は、薬剤送達デバイスに受け入れられるキャニスタのような加圧薬剤容器内に設けられる。
【００４８】
パッケージ１０の容器１１は、厚紙ブランクから作ることができるが、本発明はそのような材料に限定されず、本発明の範囲内で、プラスチックまたは金属を含むあらゆる他の適切な材料を使用することができる。容器１１は、プラスチック積層カードのような、材料の混成物から作ることもできる。容器１１は、単一の材料ブランクから折り曲げることができる。折り目は、容器１１のシート材料における弱化ラインを含むことができる。弱化ラインは、ブランクの厚さが減少されたライン、または他の変形ラインであってよい。弱化ラインは、１つまたはそれ以上のスコアライン、ミシン目、または本体１１の材料のエンボシングを含むことができる。これは、費用効果が高く製造が簡単なパッケージ容器の構成になるという点で有利である。
【００４９】
容器は、単一、一体の材料ブランクから形成することができる。しかし、本発明は、この構成に対する限定を意図するものではなく、容器１１は、互いに連結される複数の包装構成要素から形成することもできる。様々なパネルは、共に連結される別個の構成要素であってもよい。パネルは、パネルの材料とは異なる材料であってよい材料のセクションによって連結してもよい。たとえば、連結材料は、パネルの材料よりも可撓性のある材料であってよい。たとえば、パネルは、堅い厚紙から作られ、連結材料のセクションは、可撓性プラスチックまたはゴムまたはより可撓性の厚紙であってもよい。
【００５０】
本発明のパッケージ１０は、平坦な材料ブランクから形成される容器に対する限定を意図するものではなく、その代わりに、パッケージの１つまたはそれ以上の部分を非平坦構造として形成することもできる。たとえば、ベースパネル１２は、内側蓋パネル１６、第１および第２の側方蓋パネル１４、１５、ならびに外側蓋パネル１３がトレイ形容器に連結されるトレイ形容器に置き換えてもよい。
【００５１】
デバイス２５および薬剤カートリッジ２６は、場合により、ベースパネル１２に接着される密閉封止ブリスタパック内に設けられるとして上記で述べられているが、デバイス２５および薬剤カートリッジ２６を所定位置に固定する他の手段も、本発明の範囲に入るものとする。たとえば、デバイス２５および／または薬剤カートリッジ２６は、ベースパネル１２に形成される表面形成物によって保持してもよい。たとえば、ベースパネル１２は、デバイス２５および／または薬剤カートリッジ２６をベースパネル１２上の所定位置に摩擦嵌めまたはスナップ嵌めのように固定する突起付きで形成することもできる。そのような形成物は、容器１１を形成するシート材料にエンボス加工されるまたは穴があけられる。デバイス２５および／または薬剤カートリッジ２６のそのような機械的な固定は、構成要素を所定位置に接着する接着剤の使用に加えられるまたはその代わりであってよい。
【００５２】
パッケージ１０は、別々になった側方蓋パネル１４、１５を含まなくてもよく、その代わりに、内側蓋パネル１６の上に部分的または全体的に延びる１つの単一側方蓋パネルを含むこともできる。それでもなお、そのような構成は、側方蓋パネルがひろげられるまで、内側蓋パネル１６が開けられないようにする役割を果たす。したがって、単一側方蓋パネルは、側方蓋パネルの縁および内側蓋パネル１６において閉じるように接着される。接着密閉は、側方蓋パネルの縁と内側蓋パネル１６の上にあるパケット３５によってなされる。
【００５３】
本発明は、図示され上述される薬剤パッケージ１０の例示的な構成に対する限定を意図するものではない。本発明の範囲内の代替パッケージでは、まず、第１および第２の側方パネル１４、１５がそれらの閉位置に折り曲げられ、第１および第２の側方パネル１４、１５の上に内側蓋パネル１６がその閉位置へと折り曲げられる。そのような構成では、第１および第２の側方パネル１４、１５は、容器１１内の最も内側に配置される。そのようなパッケージの代替構成では、それでもやはり、内側蓋パネル１６の滅菌準備面は、第１および第２の側方蓋パネル１４、１５と接触することにより、またさらに外側蓋パネル１３により覆われることにより、環境要素からの汚染から守られることを理解されたい。
【００５４】
本発明の実施形態では、内側蓋パネル１６だけが、たとえばその縁に接着されるサシェ３６によって、閉じた状態にされる。あるいは、第１および第２の側方パネル１４、１５だけが、たとえばそれらに接着されるパケット３５によって閉じた状態になってもよい。あるいは、内側蓋パネル１６と第１および第２の側方パネル１４、１５の両方が、上述したように閉じた状態になってもよい。
【００５５】
本発明は、準備面をもたらす内側蓋パネル１６が容器１１の奥行の幅全体にわたって延びる実施形態に対する限定を意図するものではない。代替実施形態では、内側蓋パネル１６は、図示され上述されるよりも幅が狭いまたは奥行がなくてよく、したがって、その閉位置において容器１１の幅または奥行の一部にしか延びない。そのようなサイズが減少された内側蓋パネルは、有利には、パッケージの材料コストを低減させることができる。しかし、パッケージ１０が提供することができる準備面のサイズを最大にするように内側蓋パネル１６の面を最大にすることが有利である。
【００５６】
本発明の実施形態は、準備面を含む内側蓋パネル１６がパッケージ１０の唯一の蓋パネルを構成するように、外側蓋パネル１３および／または第１および第２の側方蓋パネル１４、１５を省くことができる。
【００５７】
サシェ３６内に設けられる殺菌スワブおよび／またはパケット３５内の殺菌剤は、適切な殺菌剤が染み込んだ吸収性パッドを含むことができる。用語「殺菌剤」は、殺菌薬品、ならびに、殺菌薬品を含む、スワブ、ワイプ、バー、ゲルおよび液体を含めた構成要素または材料を包含するものとする。同様に、内側蓋パネルの滅菌準備面は、任意の適切な殺菌剤または薬品で予め処理されるまたはそれが含侵された材料を含むことができる。例示的な殺菌剤は、これらに限定されないが、イソプロパノール、イソプロピルアルコール、溶解物（ｄｉｓｓｏｌｕｔｉｏｎ）としてのイソプロピルアルコール、たとえば７０％溶解物としてのイソプロピルアルコール、イオナイド（ｉｏｎｉｄｅ）チンキ、過酸化水素、クロラミンＴ、アルコール（たとえば、エタノール、１−プロパノール）、フェノール、窒素化合物、クロルヘキシジン、および／または洗浄剤を含む。さらに、本明細書および本発明の文脈を通して使用される用語「ｓｔｅｒｉｌｅ（滅菌、殺菌）」、「ｓｔｅｒｉｌｉｚｉｎｇ（滅菌、殺菌）」および「ｓｔｅｒｉｌｉｚｅｄ（滅菌、殺菌）」は、また、清浄化、消毒および／または衛生的にされる表面、薬剤および動作を包含するものとする。用語「ｓｔｅｒｉｌｅ」は、用語「清浄化された」、「消毒された」および／または「衛生的にされた」と相互に代替可能に使用することができる。すなわち、用語「ｓｔｅｒｉｌｅ」は、本発明のパッケージおよび医用装置の使用中における患者の感染の危険を減少させるように細菌、バクテリア、微生物および／または他の汚染物の存在が減少される清浄度の向上の変化の度合いを包含するものとする。用語「ｓｔｅｒｉｌｅ」は、そのような汚染物が完全に無い、完全な破壊および／または除去の定義に対する限定を意図するものではない。
【００５８】
ガーゼパッド２８、３８は、任意の適切な材料を含むことができ、これらに限定されないが、ガーゼスポンジ、綿、セルロース、レーヨンまたは他の多孔質フィルタ材料を含むことができる。さらに、本発明のパッケージ１０は、ガーゼパッド２８、３８を提供する実施形態に限定されず、本発明の代替実施形態は、ガーゼパッド２８、３８を省くこともできる。
【００５９】
デバイス２５は、薬剤を皮下的に送達するように構成されるが、そうではなくて、たとえばマイクロニードルを使用する皮内注射、または他のやり方での注射用に構成してもよい。
【００６０】
デバイス２５は、大容量デバイス（ＬＶＤ）として知られているタイプのボーラス注射デバイスであってよい。ＬＶＤ注射デバイスは、薬剤の比較的大量の用量、具体的には、少なくとも１ｍｌ、典型的には最大２．５ｍｌまで、しかし場合によっては最大１０ｍｌまでの薬剤を投薬するように構成される。
【００６１】
ボーラス注射デバイスは、所定時間内に患者の体内にある分量の薬剤を入れるように、それぞれの薬剤のボーラスを送達するように構成される。しかし、注射速度は、重要ではなく、すなわち必ずしも厳格に管理しなくてもよい。しかし、送達部位の周辺の組織にダメージを与えないようにするために、送達速度の（生理学的な）上限がある。薬剤のボーラス用量を送達するのに要する時間は、薬剤の量（分量）、薬剤の粘度、および注射デバイスの使用が意図される注射部位の性質を含むいくつかの要因に応じて、数分から数時間の間となることがある。
【００６２】
使用者または医療従事者の視点から、注射デバイスは、患者のライフスタイルおよびスケジュールに最小限の影響しか与えないように構成され、それによって患者が注射の合間に彼または彼女の病気を思い出すことが最小限になることが望ましい。治療のための処置スケジュールは、一般的に、断続的であり、すなわち、週に１度、隔週に１度、または毎月１度の注射であることがある。したがって、患者には、通常、彼または彼女の病気に関するルーチンがなく、したがって、必要な注射を実施する最低限のルーチン／経験しかない。したがって、患者によるその操作を簡素化する注射デバイスの構成、関連の装置および関連の包装が非常に望まれている。
【００６３】
注射デバイスの構成は、ボーラス動作を対象としているので、基本動作（ｂａｓａｌ  ｏｐｅｒａｔｉｏｎ）に使用される目的の注射デバイスとは大きく異なる。さらに、その使用も大きく異なる。たとえば、基本タイプのインスリンポンプは、一般的に、比較的高価である。というのも、それは、プログラム可能な送達速度プロファイル、ボーラス計算機（ｂｏｌｕｓ  ｃａｌｃｕｌａｔｏｒ）などのような糖尿病に特有の精巧な機能を多数含むからである。さらに、注入セットを介した身体への連結によって、患者は、治療の進行中に彼／彼女の視界内にあるポンプを扱い、操作することができる。さらに、糖尿病患者は、通常、注入セットをセットアップし、ポンプに連結し、それを動作させ、シャワーを浴びるときなどの間はポンプが水に曝されないように一時的にポンプを連結解除するというルーチンを有する。それとは対照的に、上述したボーラス注射デバイスは、比較的単純であり、安価なデバイスである。それらは、薬剤で再び満たすことができない単回使用デバイスとして提供され、したがって、さらに、複雑さおよびコストが低減される。
【００６４】
本明細書で使用する用語「薬物」または「薬剤」は、少なくとも１つの薬学的に活性な化合物を含む医薬製剤を意味する。いくつかの実施形態において、薬学的に活性な化合物は、最大１５００Ｄａまでの分子量を有することができ、または、ペプチド、タンパク質、多糖類、ワクチン、ＤＮＡ分子、ＲＮＡ分子、酵素、抗体もしくはそのフラグメント、ホルモン、もしくはオリゴヌクレオチド、または上述の薬学的に活性な化合物の混合物を含むことができる。様々なタイプまたはサブタイプの化合物も企図される。たとえば、ＲＮＡは、ＲＮＡｉ、ｓｉＲＮＡまたはｍｉＲＮＡを含むことができる。他の実施形態において、薬学的に活性な化合物は、糖尿病、または糖尿病性網膜症などの糖尿病に伴う合併症、深部静脈血栓塞栓症または肺血栓塞栓症などの血栓塞栓症、急性冠症候群（ＡＣＳ）、狭心症、心筋梗塞、がん、黄斑変性症、炎症、枯草熱、アテローム性動脈硬化症または関節リウマチの処置または予防に有用である。いくつかの実施形態において、薬学的に活性な化合物は、糖尿病または糖尿病性網膜症などの糖尿病に伴う合併症の処置または予防のための少なくとも１つのペプチドを含むことができる。薬学的に活性な化合物は、さらに、少なくとも１つのヒトインスリンもしくはヒトインスリン類似体もしくは誘導体、グルカゴン様ペプチド（ＧＬＰ−１）もしくはその類似体もしくは誘導体、またはエキセンジン−３もしくはエキセンジン−４もしくはエキセンジン−３もしくはエキセンジン−４の類似体もしくは誘導体、または薬学的に許容される塩もしくはその溶媒和物を含むことができる。
【００６５】
インスリン類似体としては、たとえば、Ｇｌｙ（Ａ２１），Ａｒｇ（Ｂ３１），Ａｒｇ（Ｂ３２）ヒトインスリン；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、およびＤｅｓ（Ｂ３０）ヒトインスリンを含むことができる。
【００６６】
インスリン誘導体としては、たとえば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンを含むことができる。
【００６７】
エキセンジン−４としては、たとえば、エキセンジン−４（１−３９）を含むことができる。
【００６８】
ホルモンとしては、たとえば、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、ゴセレリンなどの、脳下垂体ホルモンまたは視床下部ホルモンまたは調節性活性ペプチドおよびそれらのアンタゴニストを含むことができる。
【００６９】
多糖類としては、たとえば、グルコサミノグリカン、ヒアルロン酸、ヘパリン、低分子量ヘパリン、もしくは超低分子量ヘパリン、またはそれらの誘導体、または上述の多糖類の硫酸化形態、たとえば、ポリ硫酸化形態、および／または、薬学的に許容されるそれらの塩を含むことができる。ポリ硫酸化低分子量ヘパリンの薬学的に許容される塩の例は、エノキサパリンナトリウムである。
【００７０】
抗体としては、基本構造を共有する免疫グロブリンとしても知られている略球状血漿タンパク質（約１５０ｋＤａ）を含むことができる。これらは、アミノ酸残基に付加された糖鎖を有することができるので、糖タンパク質にも分類されることもある。各抗体の基本的な機能単位は免疫グロブリン（Ｉｇ）単量体（１つのＩｇ単位のみを含む）であり；分泌型抗体はまた、ＩｇＡなどの２つのＩｇ単位を有する二量体、硬骨魚のＩｇＭのような４つのＩｇ単位を有する四量体、または哺乳動物のＩｇＭのように５つのＩｇ単位を有する五量体でもあり得る。
【００７１】
Ｉｇ単量体は、４つのポリペプチド鎖；すなわち、システイン残基間のジスルフィド結合によって結合された２本の重鎖および２本の軽鎖を含むことができる「Ｙ」字型の分子である。各重鎖は約４４０アミノ酸長であり得；各軽鎖は約２２０アミノ酸長であり得る。重鎖および軽鎖はそれぞれ、これらのフォールディングを安定化させる鎖内ジスルフィド結合を含むことができる。各鎖は、Ｉｇドメインと呼ばれる構造ドメインから構成される。これらのドメインは、典型的には、約７０〜１１０個のアミノ酸を含み、そのサイズおよび機能に基づいて異なるカテゴリー（たとえば、可変すなわちＶ、および定常すなわちＣ）に分類される。これらは、２つのβシートが、保存されたシステインと他の荷電アミノ酸との間の相互作用によって一緒に保持される「サンドイッチ」形状を作り出す特徴的な免疫グロブリンフォールドを有する。
【００７２】
α、δ、ε、γおよびμで表される５種類の哺乳類Ｉｇ重鎖が存在する。存在する重鎖の種類により抗体のアイソタイプが規定され；これらの鎖はそれぞれ、ＩｇＡ、ＩｇＤ、ＩｇＥ、ＩｇＧおよびＩｇＭ抗体中に見出される。
【００７３】
異なる重鎖はサイズおよび組成が異なり；αおよびγは約４５０個のアミノ酸を含み、δは約５００個のアミノ酸を含み、μおよびεは約５５０個のアミノ酸を有する。各重鎖は、２つの領域、すなわち定常領域（ＣＨ）および可変領域（ＶＨ）を有する。１つの種において、定常領域は、同じアイソタイプのすべての抗体で本質的に同一であるが、異なるアイソタイプの抗体では異なる。重鎖γ、α、およびδは、３つのタンデム型のＩｇドメインから構成される定常領域、および可撓性を加えるためのヒンジ領域を有し；重鎖μおよびεは、４つの免疫グロブリンドメインから構成される定常領域を有する。重鎖の可変領域は、異なるＢ細胞によって産生された抗体では異なるが、単一のＢ細胞またはＢ細胞クローンによって産生された抗体すべてについては同じである。各重鎖の可変領域は、約１１０アミノ酸長であり、単一のＩｇドメインから構成される。
【００７４】
哺乳類では、λおよびκで表される２種類の免疫グロブリン軽鎖がある。軽鎖は２つの連続するドメイン：すなわち１つの定常ドメイン（ＣＬ）および１つの可変ドメイン（ＶＬ）を有する。軽鎖のおおよその長さは、２１１〜２１７個のアミノ酸である。各抗体は、常に同一である２本の軽鎖を含み；哺乳類の各抗体につき、軽鎖κまたはλの１つのタイプのみが存在する。
【００７５】
抗体の一般的な構造は類似し得るが、所与の抗体の固有の特性は、上記で詳述したように、可変（Ｖ）領域によって決定される。より具体的には、各軽鎖（ＶＬ）について３つおよび重鎖（ＶＨ）に３つであることが多い可変ループが、抗原との結合、すなわちその抗原特異性に関与する。これらのループは、相補性決定領域（ＣＤＲ）と呼ばれる。ＶＨドメインおよびＶＬドメインの両方からのＣＤＲが抗原結合部位に寄与するので、通常、最終的な抗原特異性を決定するのは重鎖と軽鎖の組合せであり、どちらか単独ではない。
【００７６】
「抗体フラグメント」は、上記で定義した少なくとも１つの抗原結合フラグメントを含み、そのフラグメントが由来する完全抗体と本質的に同じ機能および特異性を示す。パパインによる限定的なタンパク質消化は、Ｉｇプロトタイプを３つのフラグメントに切断する。１つの完全なＬ鎖および約半分のＨ鎖をそれぞれが含む２つの同一のアミノ末端フラグメントが、抗原結合フラグメント（Ｆａｂ）である。サイズが同等であるが、鎖間ジスルフィド結合を有する両方の重鎖の半分の位置でカルボキシル末端を含む第３のフラグメントは、結晶可能なフラグメント（Ｆｃ）である。Ｆｃは、炭水化物、相補結合部位、およびＦｃＲ結合部位を含む。限定的なペプシン消化により、Ｆａｂ片とＨ−Ｈ鎖間ジスルフィド結合を含むヒンジ領域の両方を含む単一のＦ（ａｂ’）２フラグメントが得られる。Ｆ（ａｂ’）２は、抗原結合に対して二価である。Ｆ（ａｂ’）２のジスルフィド結合は、Ｆａｂ’を得るために切断することができる。さらに、重鎖および軽鎖の可変領域は、縮合して単鎖可変フラグメント（ｓｃＦｖ）を形成することもできる。
【００７７】
薬学的に許容される塩は、たとえば、酸付加塩および塩基性塩である。酸付加塩は、たとえば、ＨＣｌまたはＨＢｒ塩である。塩基性塩は、たとえば、アルカリまたはアルカリ土類、たとえば、Ｎａ＋、またはＫ＋、またはＣａ２＋から選択されるカチオン、または、アンモニウムイオンを有する塩である。薬学的に許容される溶媒和物は、たとえば、水和物である。
【００７８】
いくつかの実施形態では、様々な粘度の薬剤が注射可能である。たとえば、粘度は、約３〜約５０ｃＰの範囲であってよい。他の実施形態では、粘度は、約３ｃＰ未満、または約５０ｃＰを上回ってもよい。注射は、さらに、薬剤を患者の身体の皮下、筋肉内または経皮的な場所に送達することを含むことができる。薬剤は、液体、ゲル、スラリー、懸濁液、粒子、粉末または他のタイプの形態であってよい。
【００７９】
典型的な注射量は、約１ｍＬ〜約１０ｍＬの範囲であってよい。注射速度は、約０．５ｍＬ／分、約０．２ｍＬ／分、または約０．１ｍＬ／分であってよい。そのような注射プロファイルは、流量が概ね一定、または継続時間が概ね連続的、または両方が概ね一定かつ連続的であってよい。これらの注射は、単一の投与工程で行うことができる。そのような注射プロファイルは、ボーラス注射と呼ばれる。
【００８０】
そのような薬剤について機能する送達デバイスは、針、カニューレ、または薬剤を患者に送達するように構成される他の注射要素を用いることができる。そのような注射要素は、たとえば、外側サイズすなわち外径が２７Ｇ未満であってよい。さらに、注射要素は、剛性または可撓性であってよく、１つまたはそれ以上の広範な材料を使用して形成される。いくつかの実施形態では、注射要素は、２つ以上の構成要素を含むことができる。たとえば、剛性トロカールは、可撓性カニューレと共に動作することができる。はじめに、トロカールとカニューレの両方を共に動かして皮膚を穿孔することができる。次いで、カニューレを標的組織内に少なくとも部分的に残しながら、トロカールを後退させることができる。その後、カニューレは、別に、送達デバイス内に後退させることができる。
【図１】
2017536931.tif 000003
【図２】
2017536931.tif 000004
【図３】
2017536931.tif 000005
【図４】
2017536931.tif 000006
【国際調査報告】
2017536931.tif 000007
2017536931.tif 000008
2017536931.tif 000009